(57)【要約】【課題】隣接チャンネルの音声中間信号を減衰するようにしたＰＡＬ方式のテレビジョンチューナを使用してＣＡＭ方式のテレビジョン信号を受信しても音声品質を劣化しないようにする。【解決手段】選択されたテレビジョン信号を中間周波信号に変換するミキサ１と、中間周波信号を増幅する中間周波増幅器２とを備え、ミキサ１と中間周波増幅器２との間に減衰周波数切替型のトラップ回路４を介挿し、トラップ回路４によってＰＡＬ方式の隣接チャンネルの音声中間周波信号又はＳＥＣＡＭ方式の隣接チャンネルの映像中間周波信号を減衰したので、いずれの方式のテレビジョン信号を受信する場合においても、映像中間周波信号と音声中間周波信号とを減衰することなく、隣接チャンネルの音声中間周波信号又は映像中間周波信号による妨害を受けずに受信できる。【選択図】　　　　図１
0003097063.tif 000002
【実用新案登録請求の範囲】
【請求項１】
選択されたテレビジョン信号を中間周波信号に変換するミキサと、前記中間周波信号を増幅する中間周波増幅器とを備え、前記ミキサと前記中間周波増幅器との間に減衰周波数切替型のトラップ回路を介挿し、前記トラップ回路によってＰＡＬ方式の隣接チャンネルの音声中間周波信号又はＳＥＣＡＭ方式の隣接チャンネルの映像中間周波信号を減衰したことを特徴とするテレビジョンチューナ。
【請求項２】
前記トラップ回路には前記減衰周波数を切り換えるためのスイッチダイオードを設け、前記ミキサ及び前記中間周波増幅器を集積回路内に構成すると共にスイッチトランジスタを構成し、前記集積回路には前記ミキサの出力端に接続された出力端子と前記中間周波増幅器の入力端に接続された入力端子とを設け、前記トラップ回路を前記出力端子と前記入力端子との間に接続し、前記スイッチダイオードを前記スイッチトランジスタによってオン／オフ制御したことを特徴とする請求項１に記載のテレビジョンチューナ。
【請求項３】
前記ミキサ及び前記中間周波増幅器をそれぞれ平衡出力型及び平衡入力型に構成し、前記出力端子及び前記入力端子をそれぞれ二つ設け、前記出力端子間には前記中間周波信号に同調する中間周波同調回路を接続し、一方の前記出力端子と一方の前記入力端子との間に前記トラップ回路を接続すると共に、他方の前記出力端子と他方の前記入力端子とを相互に接続し、前記ミキサと前記スイッチダイオードのアノードには前記中間周波同調回路を介して給電し、前記スイッチダイオードのカソードと前記スイッチトランジスタのコレクタを前記一方の入力端子に接続したことを特徴とする請求項２に記載のテレビジョンチューナ。
【請求項４】
前記トラップ回路はインダクタンス素子と第一の容量素子との直列接続回路と、前記直列接続回路に並列接続された第二の容量素子とを有し、前記第一の容量素子に前記スイッチダイオードを並列に接続したことを特徴とする請求項２又は３に記載のテレビジョンチューナ。
【考案の詳細な説明】
【０００１】
【考案の属する技術分野】
本考案は、ＰＡＬ方式及びＳＥＣＡＭ方式の各テレビジョン信号を受信可能とすテレビジョンチューナに関する。
【０００２】
【従来の技術】
従来のテレビジョンチューナは図３に示すように、受信したテレビジョン信号ＲＦを局部発振信号ＬＯと混合して中間周波信号に変換するミキサ３１と、中間周波信号を増幅する中間周波増幅器３２と、ミキサ３１と中間周波増幅器３２との間に介挿された中間周波同調回路３３及びトラップ回路３４とを有する。ミキサ３１及び中間周波増幅器３２は平衡型で構成される。中間周波同調回路３３はミキサ３１の平衡出力端の間に接続される。また、トラップ回路３４はミキサの一方の出力端と中間周波増幅器３２の一方の入力端との間に接続される。ミキサの他方の出力端と中間周波増幅器３２の他方の入力端とは相互に接続される。
【０００３】
中間周波同調回路３３は、直列接続された二つのインダクタンス素子３３ａ、３３ｂと、二つのインダクタンス素子３３ａ、３３ｂの全体に並列接続された容量素子３３ｃとを有する並列同調回路からなり、ＰＡＬ方式の中間周波帯における映像中間周波数（Ｐｉｐ＝３８．９ＭＨｚ）と音声中間周波数（Ｓｉｐ＝３３．４ＭＨｚ）との間に同調する。また、トラップ回路３４もインダクタンス素子３４ａと容量素子３４ｂとを有する並列共振回路からなり、隣接チャンネルの音声中間周波数の近傍（−Ｓｉｐ＝４０．９ＭＨｚ）に並列共振する。
【０００４】
よって、中間周波増幅器３２の入力端における周波数特性は図４に示すように隣接チャンネルの音声中間周波数近傍（−Ｓｉｐ）で減衰する特性となり、隣接チャンネルの音声中間周波信号による妨害を受けにくくしている。
【０００５】
【考案が解決しようとする課題】
一方、ＳＥＣＡＭ方式の中間周波帯は、映像中間周波数（Ｐｉｓ＝３３．９ＭＨｚ）と音声中間周波数（Ｓｉｓ＝４０．４ＭＨｚ）がＰＡＬ方式の映像中間周波数（Ｐｉｐ＝３８．９ＭＨｚ）と音声中間周波数（Ｓｉｐ＝３３．４ＭＨｚ）とは高低が逆転しているものの、かなりの範囲でＰＡＬ方式の中間周波帯と重複しているので、ＰＡＬ方式のテレビジョンチューナを使用してＰＡＬ方式とＳＥＣＡＭ方式の両方のテレビジョン信号を受信可能とするテレビジョン受信機が制作されている。しかし、ＳＥＣＡＭ方式の音声中間周波数（Ｓｉｓ＝４０．４ＭＨｚ）は上記のトラップ回路３４によって減衰される周波数（−Ｓｉｐ＝４０．９ＭＨｚ）に極めて近いので、ＳＥＣＡＭ方式のテレビジョン信号を受信すると、音声の品質が劣化するという問題がある。
【０００６】
本考案は、隣接チャンネルの音声中間信号を減衰するようにしたＰＡＬ方式のテレビジョンチューナを使用してＣＡＭ方式のテレビジョン信号を受信しても音声品質を劣化しないようにすることを目的とする。
【０００７】
【課題を解決するための手段】
上記課題に対して、本考案では、選択されたテレビジョン信号を中間周波信号に変換するミキサと、前記中間周波信号を増幅する中間周波増幅器とを備え、前記ミキサと前記中間周波増幅器との間に減衰周波数切替型のトラップ回路を介挿し、前記トラップ回路によってＰＡＬ方式の隣接チャンネルの音声中間周波信号又はＳＥＣＡＭ方式の隣接チャンネルの映像中間周波信号を減衰した。
【０００８】
また、前記トラップ回路には前記減衰周波数を切り換えるためのスイッチダイオードを設け、前記ミキサ及び前記中間周波増幅器を集積回路内に構成すると共にスイッチトランジスタを構成し、前記集積回路には前記ミキサの出力端に接続された出力端子と前記中間周波増幅器の入力端に接続された入力端子とを設け、前記トラップ回路を前記出力端子と前記入力端子との間に接続し、前記スイッチダイオードを前記スイッチトランジスタによってオン／オフ制御した。
【０００９】
また、前記ミキサ及び前記中間周波増幅器をそれぞれ平衡出力型及び平衡入力型に構成し、前記出力端子及び前記入力端子をそれぞれ二つ設け、前記出力端子間には前記中間周波信号に同調する中間周波同調回路を接続し、一方の前記出力端子と一方の前記入力端子との間に前記トラップ回路を接続すると共に、他方の前記出力端子と他方の前記入力端子とを相互に接続し、前記ミキサと前記スイッチダイオードのアノードには前記中間周波同調回路を介して給電し、前記スイッチダイオードのカソードと前記スイッチトランジスタのコレクタを前記一方の入力端子に接続した。
【００１０】
また、前記トラップ回路はインダクタンス素子と第一の容量素子との直列接続回路と、前記直列接続回路に並列接続された第二の容量素子とを有し、前記第一の容量素子に前記スイッチダイオードを並列に接続した。
【００１１】
【考案の実施の形態】
本考案のテレビジョンチューナの構成を図１に示す。本考案のテレビジョンチューナは、受信したテレビジョン信号ＲＦを局部発振信号ＬＯと混合して中間周波信号に変換するミキサ１と、中間周波信号を増幅する中間周波増幅器２と、ミキサ１と中間周波増幅器２との間に介挿された中間周波同調回路３及びトラップ回路４とを有する。ミキサ１及び中間周波増幅器２は平衡型で構成され、共に集積回路１０内に構成される。中間周波同調回路３とトラップ回路４とは集積回路１０の外部に設けられる。
【００１２】
集積回路１０には、ミキサ１の平衡出力端に接続された１対の出力端子１０ａ、１０ｂが設けられ、中間周波同調回路３は出力端子１０ａ、１０ｂ間に接続される。中間周波同調回路３は直列接続された二つのインダクタンス素子３ａ、３ｂと、二つのインダクタンス素子３ａ、３ｂの全体に並列接続された容量素子３ｃとを有し、ＰＡＬ方式の中間周波帯における映像中間周波数（Ｐｉｐ＝３８．９ＭＨｚ）と音声中間周波数（Ｓｉｐ＝３３．４ＭＨｚ）との間に並列同調する。二つのインダクタンス素子３ａ、３ｂの接続点に印加された電源電圧Ｂはミキサ１に供給される。
【００１３】
また、集積回路１０には、中間周波増幅器２の平衡入力端に接続された１対の入力端子１０ｃ、１０ｄが設けられ、トラップ回路４は一方の出力端子１０ａと一方の入力端子１０ｃとの間に接続される。他方の出力端子１０ｂと他方の入力端子１０ｄとは相互に接続される。
【００１４】
トラップ回路４はインダクタンス素子４ａと第一の容量素子４ｂとの直列接続回路と、これら全体に対して並列接続された第二の容量素子４ｃと、第一の容量素子４ｂに並列接続されたスイッチダイオード４ｄとを有する。そして、スイッチダイオード４ｄのカソードが一方の入力端子１０ｃに接続される。よって、スイッチダイオード４ｄのアノードには中間周波同調回路３を介して電源電圧が印加される。
【００１５】
トラップ回路４はスイッチダイオード４ｄがオンの時はインダクタンス素子４ａと第二の容量素子４ｃとによってＰＡＬ方式の隣接チャンネルの音声中間周波数の近傍（−Ｓｉｐ＝４０．９ＭＨｚ）に並列共振する。また、スイッチダイオード４ｄがオフのときはＳＥＣＡＭ方式の隣接チャンネルの映像中間周波数（−Ｐｉｓ＝４１．９ＭＨｚ）に並列共振すると共に、ＳＥＣＡＭ方式の中間周波帯における映像中間周波数（Ｐｉｓ＝３３．９ＭＨｚ）と音声中間周波数（Ｓｉｓ＝４０．４ＭＨｚ）との間に直列共振する。
【００１６】
また、集積回路１０内には、スイッチトランジスタ１１が構成される。スイッチトランジスタ１１のエミッタは接地され、コレクタは給電抵抗１２によって電源電圧にプルアップされる。そして、コレクタが抵抗１３によって一方の入力端子１０ｃに接続される。
【００１７】
以上の構成において、ＰＡＬ方式のテレビジョン信号を受信するときは、スイッチトランジスタ１１がオンにされる。すると、スイッチダイオード４ｄもオンとなり、トラップ回路４は４０．９ＭＨｚに並列共振するので、中間周波増幅器２の入力端における周波数特性は図４と同じ特性となり、隣接チャンネルの音声中間周波信号による妨害が軽減される。
【００１８】
また、ＳＥＣＡＭ方式のテレビジョン信号を受信する時は、スイッチトランジスタ１１がオフとされるのでスイッチダイオード４ｄもオフとなる。よって、トラップ回路４はＳＥＣＡＭ方式の隣接チャンネルの映像中間周波数（−Ｐｉｓ＝４１．９ＭＨｚ）に並列共振するので、中間周波増幅器２の入力端における周波数特性は図２に示すように、隣接チャンネルの映像中間周波（−Ｐ＝４１．９ＭＨｚ）で減衰する特性となり、隣接チャンネルの映像中間周波信号による妨害が軽減される。
【００１９】
このとき、トラップ回路４はＳＥＣＡＭ方式の映像中間周波数（Ｐｉｓ＝３３．９ＭＨｚ）と音声中間周波数（Ｓｉｓ＝４０．４ＭＨｚ）との間に直列共振し、中間周波同調回路３もＰＡＬ方式の映像中間周波数（Ｐｉｐ＝３８．９ＭＨｚ）と音声中間周波数（Ｓｉｐ＝３３．４ＭＨｚ）との間に並列同調するので、ＳＥＣＡＭ方式の中間周波信号は減衰されない。
【００２０】
【考案の効果】
以上説明したように、本考案は、選択されたテレビジョン信号を中間周波信号に変換するミキサと、中間周波信号を増幅する中間周波増幅器とを備え、ミキサと中間周波増幅器との間に減衰周波数切替型のトラップ回路を介挿し、トラップ回路によってＰＡＬ方式の隣接チャンネルの音声中間周波信号又はＳＥＣＡＭ方式の隣接チャンネルの映像中間周波信号を減衰したので、いずれの方式のテレビジョン信号を受信する場合においても、映像中間周波信号と音声中間周波信号とを減衰することなく、隣接チャンネルの音声中間周波信号又は映像中間周波信号による妨害を受けずに受信できる。
【００２１】
また、トラップ回路には減衰周波数を切り換えるためのスイッチダイオードを設け、ミキサ及び中間周波増幅器を集積回路内に構成すると共にスイッチトランジスタを構成し、集積回路にはミキサの出力端に接続された出力端子と中間周波増幅器の入力端に接続された入力端子とを設け、トラップ回路を出力端子と入力端子との間に接続し、スイッチダイオードをスイッチトランジスタによってオン／オフ制御したので、集積回路の外部に特別な部品を設けることなく簡単に減衰周波数を切り換えられる。
【００２２】
また、ミキサ及び中間周波増幅器をそれぞれ平衡出力型及び平衡入力型に構成し、出力端子及び入力端子をそれぞれ二つ設け、出力端子間には中間周波信号に同調する中間周波同調回路を接続し、一方の出力端子と一方の入力端子との間にトラップ回路を接続すると共に、他方の出力端子と他方の入力端子とを相互に接続し、ミキサとスイッチダイオードのアノードには中間周波同調回路を介して給電し、スイッチダイオードのカソードとスイッチトランジスタのコレクタを一方の入力端子に接続したので、減衰周波数を切り換えるためのスイッチダイオードを簡単にオン又はオフできる。
【００２３】
また、トラップ回路はインダクタンス素子と第一の容量素子との直列接続回路と、直列接続回路に並列接続された第二の容量素子とを有し、第一の容量素子にスイッチダイオードを並列に接続したので、スイッチダイオードのオン又はおふによってＰＡＬ方式の隣接チャンネルの音声中間周波数又ははＳＥＣＡＭ方式の隣接チャンネルの映像中間周波数を減衰できる。
【図面の簡単な説明】
【図１】本考案のテレビジョンチューナの構成を示す回路図である。
【図２】本考案のテレビジョンチューナによるＰＡＬ方式のテレビジョン信号受信時の中間周波帯の周波数特性図である。
【図３】本考案のテレビジョンチューナによるＳＥＣＡＭ方式のテレビジョン信号受信時の中間周波帯の周波数特性図である。
【図４】従来のテレビジョンチューナの構成を示す回路図である。
【符号の説明】
１　ミキサ
２　中間周波増幅器
３　中間周波同調回路
３ａ、３ｂ　インダクタンス素子
３ｃ　容量素子
４　トラップ回路
４ａ　インダクタンス素子
４ｂ　第一の容量素子
４ｃ　第二の容量素子
４ｄ　スイッチダイオード
１０　集積回路
１０ａ、１０ｂ　出力端子
１０ｃ、１０ｄ　入力端子
１１　スイッチトランジスタ
１２　給電抵抗
１３　抵抗
【図１】
0003097063.tif 000003
【図２】
0003097063.tif 000004
【図３】
0003097063.tif 000005
【図４】
0003097063.tif 000006